(57)【要約】      （修正有）【課題】液管への液冷媒の滞留を低減することによって暖房能力の不足を解消する空気調和装置を提供する。【解決手段】ＣＰＵ１１０ａ、１１０ｂは、液管に冷媒が滞留していることを認識した場合、第１室外膨張弁４０ａ、４０ｂおよび第２室外膨張弁４１ａ、４１ｂの開度を所定の変化量以上で大きくしていく。所定の変化量とは、一定間隔で第１室外膨張弁４０ａ、４０ｂおよび第２室外膨張弁４１ａ、４１ｂの開度を所定の割合で大きくしていくことを示し、求めた冷媒過熱度に応じた開度制御で、第１室外膨張弁４０ａ、４０ｂおよび第２室外膨張弁４１ａ、４１ｂに与えるパルス数を２パルス以上増加させる場合は、これにしたがって第１室外膨張弁４０ａ、４０ｂおよび第２室外膨張弁４１ａ、４１ｂの開度Ｖｏを大きくする。【選択図】図１
2014016096.tif 000002
【特許請求の範囲】
【請求項１】
圧縮機と、室外熱交換器と、同室外熱交換器の一方の冷媒出入口に接続されて前記圧縮機の冷媒吐出口あるいは冷媒吸入口への前記室外熱交換器の接続を切り換える流路切換手段と、前記室外熱交換器の他方の冷媒出入口に接続されて同室外熱交換器での冷媒流量を調整する流量調整手段と、前記流路切換手段や前記流量調整手段の制御を行う制御手段とを備えた少なくとも１台の室外機と、
前記室外機に、１本の液管と少なくとも１本のガス管とで接続され、室内熱交換器を備えた複数の室内機と、
を備えた空気調和装置であって、
前記流量調整手段と前記室内熱交換器とが前記液管で接続され、
前記液管における前記流量調整手段側には、前記室外熱交換器が蒸発器として機能しているときの同室外熱交換器の冷媒流入側に室外機側冷媒温度検出手段が設けられ、
前記液管における前記室内熱交換器側には、同室内熱交換器が凝縮器として機能しているときの同室内熱交換器の冷媒流出側に室内機側冷媒温度検出手段が設けられ、
前記制御手段は、前記流路切換手段を制御して前記室外熱交換器を蒸発器として機能させているときに、前記室外機側冷媒温度検出手段から取り込んだ室外機側冷媒温度と前記室内機側冷媒温度検出手段から取り込んだ室内機側冷媒温度との温度差が所定値以内であれば、前記流量調整手段の開度を所定の変化量で大きくすることを特徴とする空気調和装置。
【請求項２】
請求項１に記載の空気調和装置であって、
前記制御手段は、前記室外機側冷媒温度と前記室内機側冷媒温度との温度差が所定値以内であるときに、前記室外熱交換器における冷媒過熱度に対応して前記流量調整手段の開度を制御する場合に、前記冷媒過熱度に対応して定められた前記流量調整手段の開度の変化量が前記所定の変化量より大きければ、前記冷媒過熱度に対応して定められた変化量で前記流量調整手段の開度を大きくすることを特徴とする空気調和装置。
【請求項３】
請求項１に記載の空気調和装置であって、
前記室外機には、前記圧縮機から吐出された冷媒の温度である吐出温度を検出する吐出温度検出手段が設けられ、
前記制御手段は、前記室外機側冷媒温度と前記室内機側冷媒温度との温度差が所定値以内であるときに、前記吐出温度検出手段で検出した前記吐出温度に対応して前記流量調整手段の開度を制御する場合に、前記吐出温度に対応して定められた前記流量調整手段の開度の変化量が前記所定の変化量より大きければ、前記吐出温度に対応して定められた変化量で前記流量調整手段の開度を大きくすることを特徴とする空気調和装置。
【発明の詳細な説明】
【技術分野】
【０００１】
本発明は、少なくとも１台の室外機と複数の室内機とが複数の冷媒配管で接続された空気調和装置に係わり、より詳細には、冷媒配管への冷媒の滞留を解消する空気調和装置に関する。
【背景技術】
【０００２】
従来、少なくとも１台の室外機に複数の室内機が複数の冷媒配管で並列接続された空気調和装置として、全ての室内機で同時に冷房運転または暖房運転を行えるマルチ型空気調和装置や、同時に室内機毎に冷房運転と暖房運転とを選択して行える、所謂冷暖房フリー運転を行うことができる空気調和装置が知られている。
【０００３】
例えば、特許文献１に記載の空気調和装置は、圧縮機と、アキュムレータと、オイルセパレータと、レシーバタンクと、２台の室外熱交換器と、各々の室外熱交換器に接続される室外膨張弁、吐出弁および吸入弁とを備えた１台の室外機と、各々に室内熱交換器を備えた２台の室内機と、２つの電磁弁を備え各室内熱交換器の接続を圧縮機の吐出側（高圧側）／吸入側（低圧側）に切り換える２台の電磁弁ユニットとを備えている。
【０００４】
これら室外機、室内機および電磁弁ユニットの冷媒配管による接続は次の通りである。圧縮機の吐出側に接続される吐出管はオイルセパレータに接続した後に分岐され、一方の分岐管が吐出弁を介して室外熱交換器に接続され、他方の分岐管が各電磁弁ユニットを介して室内熱交換器に接続される。これら吐出管や分岐管が高圧ガス管を構成する。
【０００５】
また、圧縮機の吸入側に接続される吸入管はアキュムレータに接続した後に分岐され、一方の分岐管が吸入弁を介して室外熱交換器に接続され、他方の分岐管が各電磁弁ユニットを介して室内熱交換器に接続される。これら吸入管や分岐管が低圧ガス管を構成する。
【０００６】
さらには、室外熱交換器における吐出弁や吸入弁が接続されている接続ポートと反対側の接続ポートには、室外膨張弁を介して冷媒配管の一端が分岐して接続されており、この冷媒配管の他端はレシーバタンクに接続した後に分岐し、各々の分岐管は各室内熱交換器における電磁弁ユニットが接続されている接続ポートと反対側の接続ポートに接続される。これら冷媒配管や分岐管が液管を構成する。
【０００７】
以上説明した空気調和装置では、電磁弁ユニットの各電磁弁を開閉することで室内熱交換器を圧縮機の吐出側あるいは吸入側に接続するように切り換えることによって、各室内熱交換器を個別に凝縮器として機能させるもしくは蒸発器として機能させることができ、各室内機において同時に冷房運転や暖房運転を行うことができる。
【先行技術文献】
【特許文献】
【０００８】
【特許文献１】特開２００４−２８６２５３号公報（第６〜７頁、第１図）
【発明の概要】
【発明が解決しようとする課題】
【０００９】
上述した空気調和装置では、全て（２台）の室内機が暖房運転を行う場合や、１台が暖房運転を行い残りが冷房運転を行うときに暖房運転を行っている室内機で要求される能力が冷房運転を行っている室内機で要求される能力より高い場合（以下、暖房主体運転と記載）は、室外熱交換器が蒸発器として機能するように各種弁類を開閉制御する。
【００１０】
暖房運転や暖房主体運転を行っているとき、蒸発器として機能している室外熱交換器に対応する室外膨張弁の開度は、例えば、室外熱交換器の冷媒出口における冷媒過熱度によって制御がなされている。そして、冷媒過熱度は、室外熱交換器の冷媒出口における冷媒温度から低圧ガス管を流れる冷媒の圧力（以下、低圧と記載）を用いて算出した低圧飽和温度を引くことによって求めることができる。
【００１１】
具体的には、冷媒過熱度が予め定めた目標冷媒過熱度となるように、室外膨張弁の開度制御を行う。目標冷媒過熱度に対し算出した冷媒加熱度が小さい場合は、室外膨張弁の開度を小さくして室外熱交換器に流れる冷媒量を減少させることで低圧を低下させる。これにより、低圧飽和温度が低下するとともに室外熱交換器の冷媒出口における冷媒温度が上昇するので冷媒過熱度が大きくなる。また、目標冷媒過熱度に対し算出した冷媒加熱度が大きい場合は、室外膨張弁の開度を大きくして室外熱交換器に流れる冷媒量を増加させることで低圧を上昇させる。これにより、低圧飽和温度が上昇するとともに室外熱交換器の冷媒出口における冷媒温度が低下するので冷媒過熱度が小さくなる。
【００１２】
ところで、空気調和装置が暖房運転や暖房主体運転を行っているときに外気温度が高い（例えば、１０℃以上）場合は、高圧ガス管を流れる冷媒の圧力（以下、高圧と記載）が高くなって、圧縮機で許容される吐出圧力の上限値を超える虞がある。このような場合は、例えば、高圧ガス管と低圧ガス管とを連通するように設けられたホットガスバイパス管や、圧縮機の吐出側に設けられたオイルセパレータと低圧ガス管とを連通するように設けられた油戻し管を使用して高圧を下げる、あるいは、圧縮機の回転数を低下させることによって高圧を下げる。
【００１３】
一方、ホットガスバイパス管や油戻し管を使用して高圧を下げたり、圧縮機の回転数を低下させて高圧を下げた場合は、これらに伴って低圧が上昇する。低圧が上昇すれば低圧飽和温度も上昇するので、低圧飽和温度を用いて算出する冷媒加熱度は小さくなる。この場合、上述したように冷媒過熱度を目標冷媒過熱度に近づけるために、室外膨張弁の開度を小さくして冷媒過熱度が大きくなるよう制御を行う。しかし、高圧が高い状態が長時間（例えば、１０分以上）継続し、ホットガスバイパス管等を使用して高圧を低下させる制御が長時間となった場合は、低圧が高い状態も長時間継続するので、室外膨張弁の開度が小さい状態も長時間継続する。
【００１４】
室外膨張弁の開度を小さくすれば、暖房運転を行っている室内機の室内熱交換器と室外機の室外膨張弁とを接続する液管に、暖房運転を行っている室内機の室内熱交換器（凝縮器として機能）で室内空気と熱交換を行った気液二相状態の冷媒が滞留するが、室外膨張弁の開度が小さい状態が長時間継続すれば、液管に滞留する冷媒量が増加するとともに液管内での冷媒圧力が上昇して滞留する気液二相状態の冷媒が凝縮して液冷媒となる。そして、液管が液冷媒により充満されると、室内熱交換器にまで液冷媒が溜まることとなり、当該室内熱交換器における凝縮能力が低下して暖房能力が不足するという問題があった。
【００１５】
本発明は以上述べた問題点を解決するものであって、液管への液冷媒の滞留を低減することによって暖房能力の不足を解消する空気調和装置を提供することを目的とする。
【課題を解決するための手段】
【００１６】
上記の課題を解決するために、本発明の空気調和装置は、圧縮機と、室外熱交換器と、室外熱交換器の一方の冷媒出入口に接続されて圧縮機の冷媒吐出口あるいは冷媒吸入口への室外熱交換器の接続を切り換える流路切換手段と、室外熱交換器の他方の冷媒出入口に接続されて室外熱交換器での冷媒流量を調整する流量調整手段と、流路切換手段や流量調整手段の制御を行う制御手段とを備えた少なくとも１台の室外機と、室外機に、１本の液管と少なくとも１本のガス管とで接続され、室内熱交換器を備えた複数の室内機とを備えたものであって、流量調整手段と室内熱交換器とが液管で接続され、液管における流量調整手段側には、室外熱交換器が蒸発器として機能しているときの室外熱交換器の冷媒流入側に室外機側冷媒温度検出手段が設けられ、また、液管における室内熱交換器側には、室内熱交換器が凝縮器として機能しているときの室内熱交換器の冷媒流出側に室内機側冷媒温度検出手段が設けられたものである。そして、制御手段は、流路切換手段を制御して室外熱交換器を蒸発器として機能させているときに、室外機側冷媒温度検出手段から取り込んだ室外機側冷媒温度と室内機側冷媒温度検出手段から取り込んだ室内機側冷媒温度との温度差が所定値以内であれば、流量調整手段の開度を所定の変化量で大きくするものである。
【発明の効果】
【００１７】
上記のように構成した本発明の空気調和装置によれば、室外熱交換器を蒸発器として機能させる、すなわち、暖房運転や暖房主体運転を行っているときに、検出した室外機側冷媒温度と室内機側冷媒温度とを比較することによって液管に液冷媒が滞留しているか否かを判断し、液管に液冷媒が滞留していると判断すれば、液管に備えられた流量調整手段の開度を所定の変化量で大きくすることで、液管に滞留している液冷媒を室外熱交換器側に流すことができる。これにより、液管に液冷媒が充満することによって室内熱交換器で凝縮能力が低下することを防ぎ、暖房運転を行っている室内機での暖房能力不足を抑制することができる。
【図面の簡単な説明】
【００１８】
【図１】本発明の実施例である空気調和装置の冷媒回路図であり、暖房運転を行う場合の冷媒の流れを説明する冷媒回路図である。
【図２】本発明の他の実施例における、制御手段での処理を説明するフローチャートである。
【発明を実施するための形態】
【００１９】
以下、本発明の実施の形態を、添付図面に基づいて詳細に説明する。実施例としては、２台の室外機に５台の室内機が並列に接続され、室内機毎に冷房運転と暖房運転とを選択して運転できる、所謂冷暖房フリーの運転が行える空気調和装置を例に挙げて説明する。尚、本発明は以下の実施形態に限定されることはなく、本発明の主旨を逸脱しない範囲で種々変形することが可能である。
【実施例】
【００２０】
図１に示すように、本実施例における空気調和装置１は、２台の室外機２ａ、２ｂと、５台の室内機８ａ〜８ｅと、５台の切換ユニット６ａ〜６ｅと、分岐器７０、７１、７２とを備えている。これら室外機２ａ、２ｂと室内機８ａ〜８ｅと切換ユニット６ａ〜６ｅと分岐器７０、７１、７２とが、高圧ガス管３０と、高圧ガス分管３０ａ、３０ｂと、低圧ガス管３１と、低圧ガス分管３１ａ、３１ｂと、液管３２と、液分管３２ａ、３２ｂとで相互に接続されることによって、空気調和装置１の冷媒回路が構成される。尚、高圧ガス管３０と高圧ガス分管３０ａ、３０ｂ、および、低圧ガス管３１と低圧ガス分管３１ａ、３１ｂで本発明のガス管が構成され、液管３２と液分管３２ａ、３２ｂとで本発明の液管が構成される。
【００２１】
空気調和装置１では、室外機２ａ、２ｂや切換ユニット６ａ〜６ｅに備えられた各種弁類の開閉状態に応じて、暖房運転（全ての室内機が暖房運転）、暖房主体運転（暖房運転を行っている室内機で要求される能力全体が冷房運転を行っている室内機で要求される能力全体を上回る場合）、冷房運転（全ての室内機が冷房運転）、冷房主体運転（冷房運転を行っている室内機で要求される能力全体が暖房運転を行っている室内機で要求される能力全体を上回る場合）等、様々な運転動作が可能である。以下の説明では、これら運転動作の中から暖房運転を行っている場合を例に挙げ、図１を用いて説明する。
【００２２】
図１は、全ての室内機８ａ〜８ｅが暖房運転を行っている場合の冷媒回路図である。まずは、室外機２ａ、２ｂについて説明するが、室外機２ａ、２ｂの構成は全て同じであるため、以下の説明では室外機２ａの構成についてのみ説明を行い、室外機２ｂについては詳細な説明は省略する。
【００２３】
図１に示すように、室外機２ａは、圧縮機２１ａと、流路切換手段である第１三方弁２２ａおよび第２三方弁２３ａと、第１室外熱交換器２４ａと、第２室外熱交換器２５ａと、室外ファン２６ａと、アキュムレータ２７ａと、オイルセパレータ２８ａと、レシーバタンク２９ａと、第１室外熱交換器２４ａに接続された第１室外膨張弁４０ａと、第２室外熱交換器２５ａに接続された第２室外膨張弁４１ａと、ホットガスバイパス管３６ａと、ホットガスバイパス管３６ａに備えられた第１電磁弁４２ａと、油戻し管３７ａと、油戻し管３７ａに備えられた第２電磁弁４３ａと、閉鎖弁４４ａ〜４６ａとを備えている。尚、第１室外膨張弁４０ａと第２室外膨張弁４１ａとが、本発明における流量調整手段である。
【００２４】
圧縮機２１ａは、インバータにより回転数が制御される図示しないモータによって駆動されることで運転容量を可変できる能力可変型圧縮機である。図１に示すように、圧縮機２１ａの吐出側は、オイルセパレータ２８ａの流入側に冷媒配管で接続されており、オイルセパレータ２８ａの流出側は室外機高圧ガス管３３ａで閉鎖弁４４ａに接続されている。また、圧縮機２１ａの吸入側は、アキュムレータ２７ａの流出側に冷媒配管で接続されており、アキュムレータ２７ａの流入側は、室外機低圧ガス管３４ａで閉鎖弁４５ａに接続されている。
【００２５】
第１三方弁２２ａおよび第２三方弁２３ａは、冷媒の流れる方向を切り換えるための弁であり、第１三方弁２２ａはａ、ｂ、ｃの３つのポートを、第２三方弁２３ａはｄ、ｅ、ｆの３つのポートをそれぞれ備えている。第１三方弁２２ａでは、ポートａに接続された冷媒配管が接続点Ａで室外機高圧ガス管３３ａに接続されている。また、ポートｂと第１室外熱交換器２４ａとが冷媒配管で接続され、ポートｃに接続された冷媒配管が接続点Ｄで室外機低圧ガス管３４ａに接続されている。
【００２６】
第２三方弁２３では、ポートｄに接続された冷媒配管が接続点Ａで室外機高圧ガス管３３ａおよび第１三方弁２２ａのポートａに接続された冷媒配管に接続されている。またポートｅと第２室外熱交換器２５ａとが冷媒配管で接続され、ポートｆに接続された冷媒配管が接続点Ｃで第１三方弁２２ａのポートｃに接続された冷媒配管と接続されている。
【００２７】
第１室外熱交換器２４ａおよび第２室外熱交換器２５ａは、アルミ材で形成された図示しない多数のフィンと、内部に冷媒を流通させる図示しない複数の銅管とで構成されている。第１室外熱交換器２４ａの一方の冷媒出入口は上述したように第１三方弁２２ａのポートｂに接続され、他方の冷媒出入口は冷媒配管を介して第１室外膨張弁４０ａの一方のポートに接続されている。尚、第１室外膨張弁４０ａの他方のポートは、閉鎖弁４６ａと室外機液管３５ａで接続されている。
【００２８】
第２室外熱交換器２５ａの一方の冷媒出入口は上述したように冷媒配管を介して第２三方弁２３ａのポートｅに接続され、他方の冷媒出入口は冷媒配管を介して第２室外膨張弁４１ａの一方のポートに接続されている。尚、第２室外膨張弁４１ａの他方のポートは、室外機液管３５ａにおける接続点Ｂに冷媒配管で接続されている。
【００２９】
第１室外膨張弁４０ａおよび第２室外膨張弁４１ａは、図示しないパルスモータにより駆動される電動膨張弁であり、パルスモータに与えるパルス数によって各々の開度が調整される。
【００３０】
室外ファン２６ａは、第１室外熱交換器２４ａや第２室外熱交換器２５ａの近傍に配置される樹脂材で形成されたプロペラファンであり、図示しないファンモータによって回転することで、室外機２ａ内に外気を取り込み、第１室外熱交換器２４ａや第２室外熱交換器２５ａにおいて冷媒と熱交換させた後、熱交換した外気を室外機２ａ外部へ放出する。
【００３１】
アキュムレータ２７ａは、流入側が室外機低圧ガス管３４ａに接続され、流出側が圧縮機２１ａの吸入側と冷媒配管で接続されている。アキュムレータ２７ａは、流入した冷媒をガス冷媒と液冷媒とに分離し、ガス冷媒のみを圧縮機２１ａに吸入させる。
【００３２】
オイルセパレータ２８ａは、流入側が圧縮機２１ａの吐出側に冷媒配管で接続され、流出側が室外機高圧ガス管３３ａに接続されている。オイルセパレータ２８ａは、圧縮機２１ａから吐出された冷媒に含まれる圧縮機２１ａの冷凍機油を冷媒から分離する。尚、分離された冷凍機油は、後述する油戻し管３７ａを介して圧縮機２１ａに吸入される。
【００３３】
レシーバタンク２９ａは、室外機液管３５ａにおける接続点Ｂと閉鎖弁４６ａとの間に設けられており、冷媒を収容することが可能な容器である。レシーバタンク２９ａは、第１室外熱交換器２４ａおよび第２室外熱交換器２５ａ内部における冷媒量を調整するバッファとしての役割を果たす、冷媒の気液分離を行う、レシーバタンク２９ａ内に設けた図示しないフィルタで冷媒中の水分や異物を除去したりする、といった機能を有する。
【００３４】
ホットガスバイパス管３６ａは、一端が室外機高圧ガス管３３ａに接続点Ｅで接続され、他端が室外機低圧ガス管３４ａに接続点Ｆで接続されている。ホットガスバイパス管３６ａには、第１電磁弁４２ａが備えられており、第１電磁弁４２ａを開閉することによってホットガスバイパス管３６ａを冷媒が流れる状態あるいは流れない状態とできる。
【００３５】
油戻し管３７ａは、一端がオイルセパレータ２８ａの油戻し口に接続され、他端が圧縮機２１ａの吸入側とアキュムレータ２７ａの流出側とを接続する冷媒配管に接続点Ｇで接続されている。油戻し管３７ａには、第２電磁弁４３ａが備えられており、第２電磁弁４３ａを開閉することによって油戻し管３７ａを冷媒が流れる状態あるいは流れない状態とできる。
【００３６】
以上説明した構成の他に、室外機２ａには各種のセンサが設けられている。図１に示すように、圧縮機２１ａの吐出側とオイルセパレータ２８ａとを接続する冷媒配管には、圧縮機２１ａから吐出される冷媒の圧力を検出する高圧センサ５０ａと、圧縮機２１ａから吐出される冷媒の温度を検出する吐出温度検出手段である吐出温度センサ５３ａとが設けられている。また、室外機低圧ガス管３４ａにおける接続点Ｆとアキュムレータ２７ａの流入側との間には、圧縮機２１ａに吸入される冷媒の圧力を検出する低圧センサ５１ａと、圧縮機２１ａに吸入される冷媒の温度を検出する吸入温度センサ５４ａとが設けられている。また、室外機液管３２ａにおける接続点Ｂと閉鎖弁４６ａとの間には、室外機液管３５ａを流れる冷媒の圧力を検出する中間圧センサ５２ａと、室外機液管３５ａを流れる冷媒の温度を検出する室外機側冷媒温度検出手段である冷媒温度センサ５５ａとが設けられている。
【００３７】
第１三方弁２２ａのポートｂと第１室外熱交換器２４ａとを接続する冷媒配管には、第１室外熱交換器２４ａから流出あるいは第１室外熱交換器２４ａへ流入する冷媒の温度を検出する第１熱交温度センサ５６ａが設けられている。また、第２三方弁２３ａのポートｅと第２室外熱交換器２５ａとを接続する冷媒配管には、第２室外熱交換器２５ａから流出あるいは第２室外熱交換器２５ａへ流入する冷媒の温度を検出する第２熱交温度センサ５７ａが設けられている。さらには、室外機２ａの図示しない吸込口付近には、室外機２ａ内に流入する外気の温度、すなわち外気温度を検出する外気温度センサ５８ａが備えられている。
【００３８】
室外機２ａには、制御手段１００ａが備えられている。制御手段１００ａは、図示しない制御基板に搭載されており、ＣＰＵ１１０ａと、記憶部１２０ａと、通信部１３０ａとを備えている。ＣＰＵ１１０ａは、室外機２ａの上述した各センサからの検出信号を取り込むとともに、各室内機８ａ〜８ｅから出力される制御信号を通信部１３０ａを介して取り込む。ＣＰＵ１１０ａは、取り込んだ検出信号や制御信号に基づいて圧縮機２１ａの駆動制御、第１三方弁２２ａおよび第２三方弁２３ａの切り換え制御、ファンモータ２９ａの回転制御、第１室外膨張弁４０ａおよび第２室外膨張弁４１ａの開度制御、といった様々な制御を行う。
【００３９】
記憶部１２０ａは、ＲＯＭやＲＡＭで構成されており、室外機２ａの制御プログラムや各センサからの検出信号に対応した検出値を記憶する。通信部１３０ａは、室外機２ａと室内機８ａ〜８ｅとの通信を行うインターフェイスである。
【００４０】
尚、室外機２ｂの構成は室外機２ａと同じであり、室外機２ａの構成要素（装置や部材）に付与した番号の末尾をａからｂに変更したものが、室外機２ａの構成要素と対応する室外機２ｂの構成要素となる。但し、第１三方弁や第２三方弁、および、冷媒配管の接続点については、室外機２ａと室外機２ｂとで記号を異ならせており、室外機２ａの第１三方弁２２ａにおけるポートａ、ｂ、ｃに対応するものを室外機２ｂの第１三方弁２２ｂではポートｇ、ｈ、ｊとし、室外機２ａの第２三方弁２３ａにおけるポートｄ、ｅ、ｆに対応するものを室外機２ｂの第２三方弁２３ｂではポートｋ、ｍ、ｎとしている。また、室外機２ａにおける接続点Ａ、Ｂ、Ｃ、Ｄ、Ｅ、Ｆ、Ｇに対応するものを室外機２ｂでは接続点Ｈ、Ｊ、Ｋ、Ｍ、Ｎ、Ｐ、Ｑとしている。
【００４１】
図１に示すように、暖房運転時の冷媒回路では、室外機２ａ、２ｂの各々に備えられた２台の室外熱交換器が蒸発器として機能するよう、各々の三方弁が切り換えられる。具体的には、室外機２ａでは、第１三方弁２２ａはポートｂとポートｃとを連通するよう、また、第２三方弁２３ａはポートｅとポートｆとを連通するよう切り換えられる。また、室外機２ｂでは、第１三方弁２２ｂはポートｈとポートｊとを連通するよう、また、第２三方弁２３ｂはポートｍとポートｎとを連通するよう切り換えられる。尚、図１では、各三方弁の連通しているポート間は実線で示し、連通していないポート間は破線で示している。
【００４２】
５台の室内機８ａ〜８ｅは、室内熱交換器８１ａ〜８１ｅと、室内膨張弁８２ａ〜８２ｅと、室内ファン８３ａ〜８３ｅとを備えている。尚、室内機８ａ〜８ｅの構成は全て同じであるため、以下の説明では、室内機８ａの構成についてのみ説明を行い、その他の室内機８ｂ〜８ｅについては説明を省略する。
【００４３】
室内熱交換器８１ａは、一端が室内膨張弁８２ａの一方のポートに冷媒配管で接続され、他端が後述する切換ユニット６ａに冷媒配管で接続されている。室内熱交換器８１ａは、室内機８ａが冷房運転を行う場合は蒸発器として機能し、室内機８ａが暖房運転を行う場合は凝縮器として機能する。
【００４４】
室内膨張弁８２ａは、一方のポートが上述したように室内熱交換器８１ａに接続され、他方のポートが液管３２に接続されている。室内膨張弁８２ａは、室内熱交換器８１ａが蒸発器として機能する場合は、その開度が要求される冷房能力に応じて調整され、室内熱交換器８１ａが凝縮器として機能する場合は、その開度が要求される暖房能力に応じて調整される。
【００４５】
室内ファン８３ａは、図示しないファンモータによって回転することで、室内機８ａ内に室内空気を取り込み、室内熱交換器８１ａにおいて冷媒と室内空気とを熱交換させた後、熱交換した空気を室内へ供給する。
【００４６】
以上説明した構成の他に、室内機８ａには各種のセンサが設けられている。室内熱交換器８１ａの室内膨張弁８２ａ側の冷媒配管には冷媒の温度を検出する室内機側冷媒温度検出手段である冷媒温度センサ８４ａが、また、室内熱交換器８１ａの切換ユニット６ａ側の冷媒配管には冷媒の温度を検出する冷媒温度センサ８５ａが、それぞれ備えられている。また、室内機８ａの図示しない室内空気の吸込口付近には、室内機８ａ内に流入する室内空気の温度、すなわち室内温度を検出する室温センサ８６ａが備えられている。
【００４７】
尚、室内機８ｂ〜８ｅの構成は室内機８ａと同じであり、室内機８ａの構成要素（装置や部材）に付与した番号の末尾をａからｂ、ｃ、ｄおよびｅにそれぞれ変更したものが、室外機８ａの構成要素と対応する室内機８ｂ〜８ｅの構成要素となる。
【００４８】
空気調和装置１には、５台の室内機８ａ〜８ｅに対応する５台の切換ユニット６ａ〜６ｅが備えられている。切換ユニット６ａ〜６ｅは、電磁弁６１ａ〜６１ｅと、電磁弁６２ａ〜６２ｅと、第１分流管６３ａ〜６３ｅと、第２分流管６４ａ〜６４ｅとを備えている。尚、切換ユニット６ａ〜６ｅの構成は全て同じであるため、以下の説明では、切換ユニット６ａの構成についてのみ説明を行い、その他の切換ユニット６ｂ〜６ｅについては説明を省略する。
【００４９】
第１分流管６３ａの一端は高圧ガス管３０に接続されており、第２分流管６４ａの一端は低圧ガス管３１に接続されている。また、第１分流管６３ａの他端と第２分流管６４ａの他端とが相互に接続され、この接続部と室内熱交換器８１ａとが冷媒配管で接続されている。第１分流管６３ａには電磁弁６１ａが、また、第２分流管６４ａには電磁弁６２ａが、それぞれ設けられており、電磁弁６１ａおよび電磁弁６２ａをそれぞれ開閉することによって、切換ユニット６ａに対応する室内機８ａの室内熱交換器８１ａが圧縮機２１の吐出側（高圧ガス管３０側）または吸入側（低圧ガス管３１側）に接続されるよう、冷媒回路における冷媒の流路を切り換えることができる。
【００５０】
尚、切換ユニット６ｂ〜６ｅの構成は、上述したように切換ユニット６ａと同じであり、切換ユニット６ａの構成要素（装置や部材）に付与した番号の末尾をａからｂ、ｃ、ｄおよびｅにそれぞれ変更したものが、切換ユニット６ａの構成要素と対応する切換ユニット６ｂ〜６ｅの構成要素となる。
【００５１】
以上説明した室外機２ａ、２ｂ、室内機８ａ〜８ｅおよび切換ユニット６ａ〜６ｅと、高圧ガス管３０、高圧ガス分管３０ａ、３０ｂ、低圧ガス管３１、低圧ガス分管３１ａ、３１ｂ、液管３２、液分管３２ａ、３２ｂ、および、分岐器７０、７１、７２との接続状態を、図１を用いて説明する。室外機２ａ、２ｂの閉鎖弁４４ａ、４４ｂには高圧ガス分管３０ａ、３０ｂの一端がそれぞれ接続され、高圧ガス分管３０ａ、３０ｂの他端はそれぞれ分岐器７０に接続される。この分岐器７０に高圧ガス管３０の一端が接続され、高圧ガス管３０の他端は分岐して切換ユニット６ａ〜６ｅの第１分流管６３ａ〜６３ｅに接続される。
【００５２】
室外機２ａ、２ｂの閉鎖弁４５ａ、４５ｂには低圧ガス分管３１ａ、３１ｂの一端がそれぞれ接続され、低圧ガス分管３１ａ、３１ｂの他端はそれぞれ分岐器７１に接続される。この分岐器７１に低圧ガス管３１の一端が接続され、低圧ガス管３１の他端は分岐して切換ユニット６ａ〜６ｅの第２分流管６４ａ〜６４ｅに接続される。
【００５３】
室外機２ａ、２ｂの閉鎖弁４６ａ、４６ｂには液分管３２ａ、３２ｂの一端がそれぞれ接続され、液分管３２ａ、３２ｂの他端はそれぞれ分岐器７２に接続される。この分岐器７２に液管３２の一端が接続され、液管３２の他端は分岐してそれぞれ室内機８ａ〜８ｅの室内膨張弁８２ａ〜８２ｅに接続されている冷媒配管に接続される。
【００５４】
また、対応する室内機８ａ〜８ｅの室内熱交換器８１ａ〜８１ｅと、切換ユニット６ａ〜６ｅにおける第１分流管６３ａ〜６３ｅと第２分流管６４ａ〜６４ｅとの接続点が、それぞれ冷媒配管で接続される。
以上説明した接続によって、空気調和装置１の冷媒回路が構成され、冷媒回路に冷媒を流すことによって冷凍サイクルが成立する。
【００５５】
次に、本実施例における空気調和装置１の運転動作について、図１を用いて説明する。尚、図１では、室外機２ａ、２ｂや室内機８ａ〜８ｅに備えられた各熱交換器が凝縮器となる場合はハッチングを付し、蒸発器となる場合は白抜きで図示する。また、室外機２ａ、２ｂに備えられた第１電磁弁４２ａ、４２ｂおよび第２電磁弁４３ａ、４３ｂや、切換ユニット６ａ〜６ｅに備えられた電磁弁６１ａ〜６１ｅおよび電磁弁６２ａ〜６２ｅの開閉状態については、閉じている場合を黒塗りで、開いている場合を白抜きで図示する。また、矢印は冷媒の流れを示している。
【００５６】
図１に示すように、全ての室内機８ａ〜８ｅが暖房運転を行い、これらで要求される暖房能力が高くて全ての室外機２ａ、２ｂを運転する必要がある場合、室外機２ａでは、第１三方弁２２ａのポートｂとポートｃとが連通するよう切り換えられて第１室外熱交換器２４ａが蒸発器として機能し、第２三方弁２３ａのポートｅとポートｆとが連通するよう切り換えられて第２室外熱交換器２５ａが蒸発器として機能する。また、室外機２ｂでは、第１三方弁２２ｂのポートｈとポートｊとが連通するよう切り換えられて第１室外熱交換器２４ｂが蒸発器として機能し、第２三方弁２３ｂのポートｍとポートｎとが連通するよう切り換えられて第２室外熱交換器２５ｂが蒸発器として機能する。尚、室外機２ａ、２ｂの第１電磁弁４２ａ、４２ｂと第２電磁弁４３ａ、４３ｂとは、共に閉じられており、ホットガスバイパス管３６ａ、３６ｂおよび油戻り管３７ａ、３７ｂは共に冷媒や冷凍機油が流れない状態とされている。
【００５７】
室内機８ａ〜８ｅでは、各々に対応する切換ユニット６ａ〜６ｅの電磁弁６１ａ〜６１ｅを開いて第１分流管６３ａ〜６３ｅを冷媒が流れるようにするとともに、電磁弁６２ａ〜６２ｅを閉じて第２分流管６４ａ〜６４ｅを冷媒が流れないようにする。これにより、室内機８ａ〜８ｅの室内熱交換器８１ａ〜８１ｅは全て凝縮器として機能する。
【００５８】
圧縮機２１ａ、２１ｂから吐出された高圧の冷媒は、オイルセパレータ２８ａ、２８ｂを介して室外機高圧ガス管３３ａ、３３ｂを流れ、閉鎖弁４４ａ、４４ｂを介して高圧ガス分管３０ａ、３０ｂに流入する。高圧ガス分管３０ａ、３０ｂに流入した高圧の冷媒は、分岐器７０で合流して高圧ガス管３０を流れ、高圧ガス管３０から切換ユニット６ａ〜６ｅに分かれて流入する。
【００５９】
切換ユニット６ａ〜６ｅに流入した高圧の冷媒は、開となっている電磁弁６１ａ〜６１ｅが備えられた第１分流管６３ａ〜６３ｅを流れて切換ユニット６ａ〜６ｅから流出し、切換ユニット６ａ〜６ｅに対応する室内機８ａ〜８ｅに流入する。
【００６０】
室内機８ａ〜８ｅに流入した高圧の冷媒は、室内熱交換器８１ａ〜８１ｅに流入して室内空気と熱交換を行って凝縮する。これにより、室内空気が暖められ、室内機８ａ〜８ｅが設置された室内の暖房が行われる。室内熱交換器８１ａ〜８１ｅから流出した高圧の冷媒は、室内膨張弁８２ａ〜８２ｅを通過して減圧される。室内膨張弁８２ａ〜８２ｅの開度は、室内熱交換器８１ａ〜８１ｅの冷媒出口における冷媒の過冷却度に応じて決定される。冷媒の過冷却度は、例えば、室外機２ａ、２ｂの高圧センサ５０ａ、５０ｂで検出した圧力から算出した高圧飽和温度（室内熱交換器８１ａ〜８１ｅ内の凝縮温度に相当）から、冷媒温度センサ８４ａ〜８４ｅで検出した室内熱交換器８１ａ〜８１ｅの冷媒出口における冷媒温度（後述する室内機側冷媒温度Ｔｉｆ）を引くことで求められる。
【００６１】
室内機８ａ〜８ｅから流出した中間圧の冷媒は液管３２に流入し、液管３２内で合流して分岐器７２に流入する。分岐器７２から液分管３２ａ、３２ｂに分流した中間圧の冷媒は、閉鎖弁４６ａ、４６ｂを介して室外機２ａ、２ｂに流入する。室外機２ａ、２ｂに流入した中間圧の冷媒は、室外機液管３５ａ、３５ｂを流れ、接続点Ｂ、Ｊで分流して第１室外膨張弁４０ａ、４０ｂおよび第２室外膨張弁４１ａ、４１ｂを通過して減圧されて低圧の冷媒となる。
【００６２】
第１室外膨張弁４０ａ、４０ｂの開度は、第１室外熱交換器２４ａ、２４ｂの冷媒出口における冷媒の過熱度に応じて決定される。また、第２室外膨張弁４１ａ、４１ｂの開度は、第２室外熱交換器２５ａ、２５ｂの冷媒出口における冷媒の過熱度に応じて決定される。冷媒の過熱度は、例えば、第１熱交温度センサ５６ａ、５６ｂや第２熱交温度センサ５７ａ、５７ｂで検出した第１室外熱交換器２４ａ、２４ｂや第２室外熱交換器２５ａ、２５ｂの冷媒出口における冷媒温度から、室外機２ａ、２ｂの低圧センサ５１ａ、５１ｂで検出した圧力から算出した低圧飽和温度（第１室外熱交換器２４ａ、２４ｂ内や第２室外熱交換器２５ａ、２５ｂ内の蒸発温度に相当）を引くことで求められる。
【００６３】
尚、制御手段１００ａ、１００ｂのＣＰＵ１１０ａ、１１０ｂは、所定のタイミング（例えば、３０秒毎）に第１室外熱交換器２４ａ、２４ｂの冷媒出口における冷媒の過熱度や第２室外熱交換器２５ａ、２５ｂの冷媒出口における冷媒の過熱度を求め、これらに応じて第１室外膨張弁４０ａ、４０ｂや第２室外膨張弁４１ａ、４１ｂの開度を制御している。
【００６４】
第１室外膨張弁４０ａ、４０ｂや第２室外膨張弁４１ａ、４１ｂで減圧された低圧の冷媒は、第１室外熱交換器２４ａ、２４ｂおよび第２室外熱交換器２５ａ、２５ｂに流入して外気と熱交換を行って蒸発する。そして、第１室外熱交換器２４ａ、２４ｂおよび第２室外熱交換器２５ａ、２５ｂから流出した低圧の冷媒は、第１三方弁２２ａ、２２ｂおよび第２三方弁２３ａ、２３ｂを介して接続点Ｃ，Ｋで合流し、接続点Ｄ、Ｍで室外機低圧ガス管３４ａ、３４ｂに流入する。そして、室外機低圧ガス管３４ａ、３４ｂに流入した低圧の冷媒は、接続点Ｆ、Ｐ、アキュムレータ２７ａ、２７ｂを介して圧縮機２１ａ、２１ｂに吸入されて再び圧縮される。
【００６５】
次に、図１および図２を用いて、本実施例の空気調和装置１において、本発明に関わる冷媒回路の動作やその作用・効果について説明する。まずは、第１室外膨張弁４０ａ、４０ｂおよび第２室外膨張弁４１ａ、４１ｂと、室内熱交換器８１ａ〜８１ｅとの間の液管３２や液分管３２ａ、３２ｂおよび室外機液管３５ａ、３５ｂ（以下、個別に言及する必要がある場合を除いて、これらをまとめて液管と記載する）に冷媒が滞留するときの冷媒回路の動作、および、冷媒温度センサ５５ａ、５５ｂで検出した冷媒温度と、冷媒温度センサ８４ａ〜８４ｅで検出した冷媒温度とを比較することによって、液管に冷媒が滞留しているか否かを判断できる理由について説明する。
【００６６】
空気調和装置１が図１に示すような冷媒回路で暖房運転を行っているとき、ＣＰＵ１１０ａ、１１０ｂは、蒸発器として機能している第１室外熱交換器２４ａ、２４ｂや第２室外熱交換器２５ａ、２５ｂの冷媒出口における冷媒過熱度が、予め記憶部１２０ａ、１２０ｂに記憶されている目標冷媒過熱度となるように、第１室外膨張弁４０ａ、４０ｂや第２室外熱交換器４１ａ、４１ｂの開度を制御している。
【００６７】
上記のように暖房運転を行っているときに外気温度が高い（例えば、１０℃以上）場合は、高圧、つまり、高圧センサ５０ａ、５０ｂで検出する吐出圧力が高くなって、圧縮機２１ａ、２１ｂで許容される吐出圧力の上限値を超える虞がある。このような場合、ＣＰＵ１１０ａ、１１０ｂは、例えば、第１電磁弁４２ａ、４２ｂや第２電磁弁４３ａ、４３ｂを開いて、ホットガスバイパス管３６ａ、３６ｂや油戻し管３７ａ、３７ｂを冷媒あるいは冷凍機油が流れるようにして、高圧を低下させる制御を行う。
【００６８】
ホットガスバイパス管３６ａ、３６ｂや油戻し管３７ａ、３７ｂを冷媒あるいは冷凍機油が流れるようにすれば、高圧が低下するとともに低圧が上昇する。低圧が上昇すれば低圧飽和温度も上昇するので、第１室外熱交換器２４ａ、２４ｂや第２室外熱交換器２５ａ、２５ｂの冷媒出口における冷媒過熱度が小さくなって目標冷媒過熱度より小さくなる。
【００６９】
このとき、ＣＰＵ１１０ａ、１１０ｂは、冷媒過熱度を目標冷媒過熱度まで上昇させるために、第１室外膨張弁４０ａ、４０ｂや第２室外熱交換器４１ａ、４１ｂの開度を小さくする。これにより、第１室外熱交換器２４ａ、２４ｂや第２室外熱交換器２５ａ、２５ｂに流れる冷媒量が減少するので低圧が低下して低圧飽和温度も低下する。また、第１室外熱交換器２４ａ、２４ｂや第２室外熱交換器２５ａ、２５ｂに流れる冷媒量が減少することによって、第１室外熱交換器２４ａ、２４ｂや第２室外熱交換器２５ａ、２５ｂの冷媒出口における冷媒温度（第１熱交温度センサ５６ａ、５６ｂや第２熱交温度センサ５７ａ、５７ｂで検出する冷媒温度）が上昇する。従って、冷媒過熱度が大きくなって目標冷媒過熱度まで上昇させることができる。
【００７０】
上記のように第１室外膨張弁４０ａ、４０ｂや第２室外熱交換器４１ａ、４１ｂの開度が小さくなれば、液管に、室内熱交換器８１ａ〜８１ｅで凝縮して室内熱交換器８１ａ〜８１ｅから流出した気液二相状態の冷媒が滞留する。ホットガスバイパス管３６ａ、３６ｂや油戻し管３７ａ、３７ｂを冷媒あるいは冷凍機油が流れるようにしている状態が長時間（例えば、１０分以上）継続し、第１室外膨張弁４０ａ、４０ｂや第２室外熱交換器４１ａ、４１ｂの開度が小さい状態も継続すれば、液管内での冷媒圧力が上昇して滞留する気液二相状態の冷媒が凝縮して液冷媒となる。
【００７１】
第１室外膨張弁４０ａ、４０ｂや第２室外熱交換器４１ａ、４１ｂの開度が小さい状態がさらに続けば、液管内が液冷媒で充満し室内熱交換器８１ａ〜８１ｅにも液冷媒が滞留することとなって、室内熱交換器８１ａ〜８１ｅにおける凝縮能力が低下して暖房能力が不足する。このとき、液管内は液冷媒で充満しているので、冷媒温度センサ８４ａ〜８４ｅで検出する冷媒温度（以下、室内機側冷媒温度Ｔｉｆと記載）と冷媒温度センサ５５ａ、５５ｂで検出する冷媒温度（以下、室外機側冷媒温度Ｔｏｅと記載）との差温Δｔが０となる。従って、室内機側冷媒温度Ｔｉｆと室外機側冷媒温度Ｔｏｅとを比較する（差温Δｔを見る）ことによって、液管に液冷媒が滞留しているか否かを判断することができる。
【００７２】
次に、図１および図２を用いて、液管に冷媒が滞留しているか否かを判断しこの判断結果に応じて第１室外膨張弁４０ａ、４０ｂや第２室外膨張弁４１ａ、４１ｂの開度を制御する方法について、具体的に説明する。図２に示すフローチャートは、第１室外膨張弁４０ａ、４０ｂや第２室外膨張弁４１ａ、４１ｂの開度制御を行うときの処理の流れを示すものであり、ＳＴはステップを表しこれに続く数字はステップ番号を表している。尚、図２では本発明に関わる処理を中心に説明しており、使用者の指示した設定温度や風量等の運転条件に対応した冷媒回路の制御等といった、その他の一般的な処理については説明を省略する。
【００７３】
まず、ＣＰＵ１１０ａ、１１０ｂは、室内機８ａ〜８ｅにおける使用者の要求する運転モードや運転能力を通信部１３０ａ、１３０ｂを介して室内機８ａ〜８ｅから取り込み、暖房運転もしくは暖房主体運転を行うか否かを判断する（ＳＴ１）。
【００７４】
暖房運転もしくは暖房主体運転を行う場合は（ＳＴ１−Ｙｅｓ）、ＣＰＵ１１０ａ、１１０ｂは、各々の室外機２ａ、２ｂの第１三方弁２２ａ、２２ｂや第２三方弁２３ａ、２３ｂを切り換えて暖房運転もしくは暖房主体運転を行う。
【００７５】
具体的には、ＣＰＵ１１０ａは、第１三方弁２２ａをポートｂとポートｃとが連通するように切り換えるとともに、第２三方弁２３ａをポートｅとポートｆとが連通するように切り換える（図１に実線で示す状態）。これにより、第１室外熱交換器２４ａおよび第２室外熱交換器２５ａが蒸発器として機能する。そして、ＣＰＵ１１０ａは、圧縮機２１ａを要求される運転能力に応じた回転数で駆動するとともに、第１室外膨張弁４０ａの開度を第１室外熱交換器２４ａの冷媒出口における冷媒過熱度に応じた開度とし、第２室外膨張弁４１ａの開度を第２室外熱交換器２５ａの冷媒出口における冷媒過熱度に応じた開度とする。
【００７６】
同様に、ＣＰＵ１１０ｂは、第１三方弁２２ｂをポートｈとポートｊとが連通するように切り換えるとともに、第２三方弁２３ｂをポートｍとポートｎとが連通するように切り換える（図１に実線で示す状態）。これにより、第１室外熱交換器２４ｂおよび第２室外熱交換器２５ｂが蒸発器として機能する。そして、ＣＰＵ１１０ｂは、圧縮機２１ｂを要求される運転能力に応じた回転数で駆動するとともに、第１室外膨張弁４０ｂの開度を第１室外熱交換器２４ｂの冷媒出口における冷媒過熱度に応じた開度とし、第２室外膨張弁４１ｂの開度を第２室外熱交換器２５ｂの冷媒出口における冷媒過熱度に応じた開度とする。
【００７７】
ＣＰＵ１１０ａ、１１０ｂは、上記のように室外機２ａ、２ｂを制御して暖房運転もしくは暖房主体運転を実行する。尚、冷媒過熱度は、例えば、低圧センサ５１ａ、５１ｂで検出した圧力を用いて算出した低圧飽和温度と第１熱交温度センサ５６ａ、５６ｂや第２熱交温度センサ５７ａ、５７ｂで検出した冷媒温度とを用いて求めることができ、ＣＰＵ１１０ａ、１１０ｂは、冷媒過熱度を定期的（例えば、３０秒毎。低圧の変化による低圧飽和温度の変化時間に比べて、第１室外熱交換器２４ａ、２４ｂや第２室外熱交換器２５ａ、２５ｂでの冷媒の温度変化に時間がかかるため、比較的長めの時間間隔としている）に求め、求めた冷媒過熱度に応じて第１室外膨張弁４０ａ、４０ｂや第２室外膨張弁４１ａ、４１ｂの開度を決定する。
【００７８】
ＣＰＵ１１０ａ、１１０ｂは、上述した暖房運転を行っているときに、冷媒温度センサ５５ａ、５５ｂで検出した室外機側冷媒温度Ｔｏｅを取り込むとともに、冷媒温度センサ８４ａ〜８４ｅで検出した室内機側冷媒温度Ｔｉｆを室内機８ａ〜８ｅから通信部１３０ａ、１３０ｂを介して取り込む（ＳＴ２）。
【００７９】
次に、ＣＰＵ１１０ａ、１１０ｂは、冷媒滞留発生条件が成立しているか否かを判断する（ＳＴ３）。ここで、冷媒滞留発生条件とは、取り込んだ室外機側冷媒温度Ｔｏｅと室内機側冷媒温度Ｔｉｆとの差温Δｔが所定温度（例えば、６℃）以下であるか否か、であり、差温Δｔが６℃以下であれば、液管で液冷媒が滞留している虞があると考えられる条件である。尚、ＣＰＵ１１０ａ、１１０ｂは、ＳＴ２からＳＴ３にかけての処理を定期的（例えば、５秒毎）に行っている。
【００８０】
冷媒滞留発生条件が成立している場合は（ＳＴ３−Ｙｅｓ）、ＣＰＵ１１０ａ、１１０ｂは、他の室外機に冷媒滞留解消制御開始信号を送信し（ＳＴ４）、ＳＴ５に処理を進める。ここで、冷媒滞留解消制御開始信号とは、後述する冷媒滞留解消制御の実行を他の室外機に指示するものであり、例えば、室外機２ａで冷媒滞留発生条件が成立している場合は、ＣＰＵ１１０ａが室外機２ｂに冷媒滞留解消制御開始信号を送信する。
【００８１】
一方、冷媒滞留発生条件が成立していない場合は（ＳＴ３−Ｎｏ）、ＣＰＵ１１０ａ、１１０ｂは、他の室外機から冷媒滞留解消制御開始信号を受信したか否かを判断する（ＳＴ９）。例えば、上述した室外機２ａで冷媒滞留発生条件が成立している場合は、ＣＰＵ１１０ｂは室外機２ａから冷媒滞留解消制御開始信号を受信したか否かを判断する。
【００８２】
滞留解消制御開始信号を受信していなければ（ＳＴ９−Ｎｏ）、ＣＰＵ１１０ｂは、通常の第１室外膨張弁４０ｂおよび第２室外膨張弁４１ｂの開度制御（第１室外熱交換器２４ｂおよび第２室外熱交換器２５ｂの冷媒出口における冷媒過熱度に応じた開度制御）を行い（ＳＴ１３）、ＳＴ１に処理を戻す。滞留解消制御開始信号を受信していれば（ＳＴ９−Ｙｅｓ）、ＣＰＵ１１０ａ、１１０ｂは、ＳＴ５に処理を進める。
【００８３】
ＳＴ５において、ＣＰＵ１１０ａ、１１０ｂは、第１室外膨張弁４０ａ、４０ｂおよび第２室外膨張弁４１ａ、４１ｂの開度を所定の変化量以上で大きくして冷媒滞留解消制御を実行する（ＳＴ５）。ここで、所定の変化量とは、第１室外膨張弁４０ａ、４０ｂおよび第２室外膨張弁４１ａ、４１ｂの開度を、液管に滞留する液冷媒が大量に第１室外熱交換器２４ａ、２４ｂや第２室外熱交換器２５ａ、２５ｂの方に流れて圧縮機２１ａ、２１ｂにまで流入する所謂液バックが発生しない程度の、所定の割合で大きくしていくことを示し、例えば、３０秒毎に、第１室外膨張弁４０ａ、４０ｂおよび第２室外膨張弁４１ａ、４１ｂに与えるパルス数を２パルスずつ増加させる、というものである。
【００８４】
上述した上記冷媒滞留解消制御において、第１室外膨張弁４０ａ、４０ｂおよび第２室外膨張弁４１ａ、４１ｂの開度を大きくする割合を所定の変化量「以上」としているのは、次の理由による。ＣＰＵ１１０ａ、１１０ｂは、冷媒滞留解消制御を行っているときも、これと併せて第１室外膨張弁４０ａ、４０ｂおよび第２室外膨張弁４１ａ、４１ｂの開度の冷媒過熱度による制御を行っている。従って、求めた冷媒過熱度に応じた開度制御で、第１室外膨張弁４０ａ、４０ｂおよび第２室外膨張弁４１ａ、４１ｂに与えるパルス数を２パルス以上増加させる場合は、これに従って第１室外膨張弁４０ａ、４０ｂおよび第２室外膨張弁４１ａ、４１ｂの開度を大きくする。
【００８５】
また、求めた冷媒過熱度に応じた開度制御で、第１室外膨張弁４０ａ、４０ｂおよび第２室外膨張弁４１ａ、４１ｂに与えるパルス数を１パルス増加あるいはパルス数を減少させる場合は、液管での液冷媒滞留の解消が遅れるもしくは液冷媒滞留が進むので、前述したように冷媒滞留解消制御を優先し第１室外膨張弁４０ａ、４０ｂおよび第２室外膨張弁４１ａ、４１ｂに与えるパルス数を３０秒毎に２パルスずつ増加させる。
【００８６】
尚、上記説明では、第１室外膨張弁４０ａ、４０ｂおよび第２室外膨張弁４１ａ、４１ｂの開度変化量について、冷媒過熱度に応じて決定される開度変化量と冷媒滞留解消制御による所定の変化量との比較によって決定する場合を説明したが、第１室外膨張弁４０ａ、４０ｂおよび第２室外膨張弁４１ａ、４１ｂの開度変化量を、吐出温度センサ５３ａ、５３ｂで検出した圧縮機２１ａ、２１ｂの吐出温度に応じて決定している場合も、同様に冷媒滞留解消制御による所定の変化量との比較によって決定する。
【００８７】
具体的には、ＣＰＵ１１０ａ、１１０ｂは、吐出温度センサ５３ａ、５３ｂで検出した吐出温度が、圧縮機２１ａ、２１ｂで定められた吐出温度の上限値を超える場合は、第１室外膨張弁４０ａ、４０ｂおよび第２室外膨張弁４１ａ、４１ｂの開度を大きくして圧縮機２１ａ、２１ｂに吸入される冷媒量を増やすことによって、吐出温度を下げる制御を行う。
【００８８】
従って、検出した吐出温度に応じた開度制御で、第１室外膨張弁４０ａ、４０ｂおよび第２室外膨張弁４１ａ、４１ｂに与えるパルス数を２パルス以上増加させる場合は、これに従って第１室外膨張弁４０ａ、４０ｂおよび第２室外膨張弁４１ａ、４１ｂの開度を大きくする。また、検出した吐出温度に応じた開度制御で、第１室外膨張弁４０ａ、４０ｂおよび第２室外膨張弁４１ａ、４１ｂに与えるパルス数を１パルス増加あるいはパルス数を減少させる場合は、液管での液冷媒滞留の解消が遅れるもしくは液冷媒滞留が進むので、冷媒滞留解消制御を優先し第１室外膨張弁４０ａ、４０ｂおよび第２室外膨張弁４１ａ、４１ｂに与えるパルス数を３０秒毎に２パルスずつ増加させる。
【００８９】
以上のように第１室外膨張弁４０ａ、４０ｂおよび第２室外膨張弁４１ａ、４１ｂの開度を制御することによって、液管に滞留している液冷媒は第１室外膨張弁４０ａ、４０ｂおよび第２室外膨張弁４１ａ、４１ｂを通過して第１室外熱交換器２４ａ、２４ｂおよび第２室内熱交換器２５ａ、２５ｂに流れ、第１三方弁２２ａ、２２ｂおよび第２三方弁２３ａ、２３ｂを介してアキュムレータ２７ａ、２７ｂに流入する。これにより、液管での液冷媒滞留が解消される。
【００９０】
次に、ＣＰＵ１１０ａ、１１０ｂは、冷媒滞留解消条件が成立しているか否かを判断する（ＳＴ６）。ここで、冷媒滞留解消条件とは、取り込んだ室外機側冷媒温度Ｔｏｅと室内機側冷媒温度Ｔｉｆとの差温Δｔが所定温度（例えば、６℃）より大きいか否か、であり、差温Δｔが６℃より大きければ、液管での液冷媒滞留が解消していると考えられる条件である。冷媒滞留解消条件が成立していなければ（ＳＴ６−Ｎｏ）、ＣＰＵ１１０ａ、１１０ｂは、ＳＴ１に処理を戻し、冷媒滞留解消条件が成立していれば（ＳＴ６−Ｙｅｓ）、ＣＰＵ１１０ａ、１１０ｂは、冷媒滞留解消制御を停止し（ＳＴ７）、ＳＴ８に処理を進める。
【００９１】
ＳＴ８において、ＣＰＵ１１０ａ、１１０ｂは、全ての室内機８ａ〜８ｅが運転を停止することによって、室外機２ａ、２ｂの運転を終了する必要があるか否かを判断する。運転を終了する必要があれば（ＳＴ８−Ｙｅｓ）、ＣＰＵ１１０ａ、１１０ｂは、圧縮機２１ａ、２１ｂを停止するとともに、第１室外膨張弁４０ａ、４０ｂおよび第２室外膨張弁４１ａ、４１ｂを全閉として、処理を終了する。運転を終了する必要がなければ（ＳＴ８―Ｎｏ）、ＣＰＵ１１０ａ、１１０ｂは、ＳＴ１に処理を戻す。
【００９２】
尚、ＳＴ１において、暖房運転もしくは暖房主体運転を行わない場合は（ＳＴ１−Ｎｏ）、ＣＰＵ１１０ａ、１１０ｂは、冷媒滞留解消制御を実行中であるか否かを判断する（ＳＴ１０）。この判断は、例えば、暖房運転あるいは暖房主体運転を行っている状態から冷房運転あるいは冷房主体運転を行うよう切り換える際に必要となる判断である。冷媒滞留解消制御を実行中でない場合は（ＳＴ１０−Ｎｏ）、ＣＰＵ１１０ａ、１１０ｂは、ＳＴ１２に処理を進める。冷媒滞留解消制御を実行中である場合は（ＳＴ１０−Ｙｅｓ）、ＣＰＵ１１０ａ、１１０ｂは、冷媒滞留解消制御を停止して（ＳＴ１１）、ＳＴ１２に処理を進める。
【００９３】
ＳＴ１２において、ＣＰＵ１１０ａ、１１０ｂは、各々の室外機２ａ、２ｂの第１三方弁２２ａ、２２ｂや第２三方弁２３ａ、２３ｂを切り換えて冷房運転もしくは冷房主体運転を行う。具体的には、ＣＰＵ１１０ａは、第１三方弁２２ａをポートａとポートｂとが連通するように切り換えるとともに、第２三方弁２３ａをポートｄとポートｅとが連通するように切り換える（図１に破線で示す状態）。これにより、第１室外熱交換器２４ａおよび第２室外熱交換器２５ａが凝縮器として機能する。そして、ＣＰＵ１１０ａは、圧縮機２１ａを要求される運転能力に応じた回転数で駆動するとともに、第１室外膨張弁４０ａの開度を全開もしくは第１室外熱交換器２４ａの冷媒出口における冷媒過冷却度に応じた開度とし、第２室外膨張弁４１ａの開度を全開もしくは第２室外熱交換器２５ａの冷媒出口における冷媒過冷却度に応じた開度とする。
【００９４】
同様に、ＣＰＵ１１０ｂは、第１三方弁２２ｂをポートｇとポートｈとが連通するように切り換えるとともに、第２三方弁２３ｂをポートｋとポートｍとが連通するように切り換える（図１に破線で示す状態）。これにより、第１室外熱交換器２４ｂおよび第２室外熱交換器２５ｂが凝縮器として機能する。そして、ＣＰＵ１１０ｂは、圧縮機２１ｂを要求される運転能力に応じた回転数で駆動するとともに、第１室外膨張弁４０ｂの開度を全開もしくは第１室外熱交換器２４ｂの冷媒出口における冷媒過冷却度に応じた開度とし、第２室外膨張弁４１ｂの開度を全開もしくは第２室外熱交換器２５ｂの冷媒出口における冷媒過冷却度に応じた開度とする。
【００９５】
ＣＰＵ１１０ａ、１１０ｂは、上記のように室外機２ａ、２ｂを制御して冷房運転もしくは冷房主体運転を実行し、ＳＴ１に処理を戻す。尚、冷媒過冷却度は、例えば、高圧センサ５０ａ、５０ｂで検出した圧力を用いて算出した高圧飽和温度と冷媒温度センサ５５ａ、５５ｂで検出した冷媒温度とを用いて求めることができ、ＣＰＵ１１０ａ、１１０ｂは、冷媒過冷却度を定期的（例えば、３０秒毎）に求めて第１室外膨張弁４０ａ、４０ｂや第２室外膨張弁４１ａ、４１ｂの開度を調整する。
【００９６】
以上説明したように、本発明の空気調和装置によれば、室外熱交換器を蒸発器として機能させる、すなわち、暖房運転や暖房主体運転を行っているときに、検出した室外機側冷媒温度と室内機側冷媒温度とを比較することによって液管に液冷媒が滞留しているか否かを判断し、液管に液冷媒が滞留していると判断すれば、液管に備えられた流量調整手段の開度を所定の変化量で大きくすることで、液管に滞留している液冷媒を室外熱交換器側に流すことができる。これにより、液管に液冷媒が充満することによって室内熱交換器で凝縮能力が低下することを防ぎ、暖房運転を行っている室内機での暖房能力不足を抑制することができる。
【００９７】
以上説明した実施例では、２台の室外機に高圧ガス管、低圧ガス管および液管で５台の室内機が並列接続されて冷暖房フリー運転を行うことができる空気調和装置を例に挙げて説明したが、少なくとも１台の室外機に複数の室内機がガス管と液管とで並列接続されて全ての室内機で同時に冷房運転または暖房運転を行えるマルチ型空気調和装置にも適用することができる。
【符号の説明】
【００９８】
１  空気調和装置
２ａ、２ｂ  室外機
６ａ〜６ｅ  切換ユニット
８ａ〜８ｅ  室内機
２１ａ，２１ｂ  圧縮機
２２ａ、２２ｂ  第１三方弁
２３ａ、２３ｂ  第２三方弁
２４ａ、２４ｂ  第１室外熱交換器
２５ａ、２５ｂ  第２室外熱交換器
２６ａ、２６ｂ  室外ファン
２７ａ、２７ｂ  アキュムレータ
２８ａ、２８ｂ  オイルセパレータ
２９ａ、２９ｂ  レシーバタンク
４０ａ、４０ｂ  第１室外膨張弁
４１ａ、４１ｂ  第２室外膨張弁
５１ａ、５１ｂ  低圧センサ
５２ａ、５２ｂ  中間圧センサ
５５ａ、５５ｂ  冷媒温度センサ
５６ａ、５６ｂ  第１熱交温度センサ
５７ａ、５７ｂ  第２熱交温度センサ
５８ａ、５８ｂ  外気温度センサ
８１ａ〜８１ｅ  室内熱交換器
８４ａ〜８４ｅ  冷媒温度センサ
１００ａ、１００ｂ  制御手段
１１０ａ、１１０ｂ  ＣＰＵ
Ｔｏｅ  室外機側冷媒温度
Ｔｉｆ  室内機側冷媒温度
Δｔ  差温
【図１】
2014016096.tif 000003
【図２】
2014016096.tif 000004